(57)【要約】【課題】投票券購入時に希望する予想情報提供元の予想情報を得ることができ、また金額をマークするだけで投票券を購入できるようにすること。【解決手段】ファンが投票端末装置１に現金か的中券を挿入し、投票カードを挿入すると、投票端末装置１は投票センタシステム２と通信し購入可能なことを確認した後、投票券を発行する。また、ファンが予想情報の表示を選択すると、投票端末装置１は、各社の予想ホームページから入手した予想データを格納した予想データ格納サーバ３から予想データを受信し、これから行われるレースの予想データを投票端末装置１の表示部に表示する。また、ファンがその予想買目の印刷出力を選択すると、上記投票カードの裏面に、ファンが選択した提供元の予想買目をマーク形式で印刷したり、予想データを印刷した予想レシートを出力する。以上の処理が終わると、釣り銭の払い等の清算処理が行われる。【選択図】          図１
2005025442.tif 000002
【特許請求の範囲】
【請求項１】
投票券を発行する投票端末装置であって、
複数の提供元から取得した予想情報を受信する手段と、
これから行われるレースの予想買目を前記予想情報から得て、該予想買目を投票券の購入者に提供する予想買目提供手段を備え、
前記予想買目提供手段は、投票券を発行する際、前記予想情報から得た予想買目の内、該購入者が選択した提供元の予想買目を該購入者に提供する
ことを特徴とする投票端末装置。
【請求項２】
前記予想買目提供手段は、前記選択された予想買目を、マーク形式で印刷出力する手段を備えた
ことを特徴とする請求項１の投票端末装置。
【請求項３】
投票券を発行する投票端末システムであって、
予想情報の提供元から予想情報を受信する予想情報格納サーバと、
前記予想情報格納サーバと接続された投票端末装置を備え、
前記予想情報格納サーバは、複数の提供元から取得した予想情報を格納する手段を備え、
前記投票端末装置は、前記予想情報格納サーバから、前記複数の提供元から取得した予想情報を受信する手段と、
これから行われるレースの予想買目を前記予想情報から得て、該予想買目を投票券の購入者に提供する予想買目提供手段を備え、
前記予想買目提供手段は、投票券を発行する際、前記予想情報から得た予想買目の内、該購入者が選択した提供元の予想買目を該購入者に提供する
ことを特徴とする投票端末システム。
【発明の詳細な説明】
【０００１】
【発明の属する技術分野】
本発明は、競馬・競輪・競艇・オートレース等の公営競技等で使用される投票端末装置において、ファンサービスとして各社の予想記者などの予想を無料で提供することができる投票端末装置およびシステムに関する。
【０００２】
【従来の技術】
公営競技には、競馬・競輪・競艇・オートレース等の多種色々の競技がある。これらの公営競技では、マークシート式の投票カードに買目をマークして、自動発払機等の投票端末装置に入力して投票券を購入するのが一般的である。
なお、公営競技には上記のように種々の競技があるが、ここでは競馬を例に取って説明する。
一般的にファンが競馬を楽しむ場合には、競馬新聞の予想やコメントを頼りに、独自の予想を立て投票券を購入する。しかし、初心者にとっては競馬新聞の見方や書いてある専門用語も理解出来ないため新聞などを購入せず、無料で配布される出走表を見て馬の名前や騎手だけで購入しているケースが多い。一方、普段やり慣れてるファンに取っても基本的には競馬新聞は１社のものしか購入しないため、他の会社の予想は知る事が出来ない。  そういうファンの為に、投票券購入時のサービスを行うシステムとして、例えば特許文献１には、各競馬新聞社の予想記者などの予想をファンに対し提供を行なうようにしたシステムが記載されている。特許文献１に記載のものは、端末から利用者が通信ネットワークを経由してサービス業者にアクセスし、予想結果を示す情報を得て、投票券を購入するものである。
【０００３】
【特許文献１】
特開２００１−１８８８４７号公報
【０００４】
【発明が解決しようとする課題】
上記特許文献１に記載のものは、ＩＤや必要な情報登録を行なった一部会員しか利用することができず、また、端末からサービス業者等にアクセスしなければ、予想情報を得ることができず、一般的な初心者ファンに対するサービスではない。
本発明は上記事情に鑑みなされたものであって、一般的な初心者でも投票券購入時に、希望する予想情報提供元の予想情報を無料で得ることができ、また、金額をマークするだけで投票券を購入することができ、煩わしいカード記入の手間を省くことが可能な投票端末装置および投票端末システムを提供することである。
【０００５】
【課題を解決するための手段】
上記課題を本発明においては、次のように解決する。
（１）投票端末装置において、各競馬新聞社等から提供される、これから行われるレースの予想買目を受信する。そして、投票券を発行する際、該ファンが選択した提供元の予想買目を提供する。
例えば、ファンが投票券を購入した時、客用表示部に予想買目の提供元を表示し、ファンがその中から欲しい提供元をタッチパネルで選択すると、その提供元の予想買目が表示され、ファンの選択に応じて投票カードの裏面や予想レシートに予想買目が印刷され出力される。
ファンはその予想を参考に次のレースの予想を行い投票券を購入する。これにより、初心者のファンにとっては買目の手ほどきに、やり慣れてるファンにとっては自分の買った競馬新聞以外の予想も知る事もでき、ファンサービスの向上を図ることができる。
（２）上記（１）において、ファンが選択した予想買目を、購入済の投票カード裏面にマーク形式で印刷出力する。
例えば、ファンが投票券を購入した時、客用表示部に予想買目の提供元を表示し、ファンがその中から欲しい提供元をタッチパネルで選択すると、その提供元の予想買目が表示される。また、最後に挿入した購入済の投票カードの裏面に予想買目がマーク形式で印刷出力される。
ファンはその予想を参考に次のレースの予想を行い投票券を購入する。仮にその予想買目通りに購入したい場合には、新しい投票カードにマークしなくても、上記投票カードの予想買目の書かれた面に購入金額をマーク後、この面を上にして投票端末装置に挿入すれば、投票券を購入する事が出来る。それにより、煩わしいマークカード記入の手間も省け、とても便利である。
【０００６】
【発明の実施の形態】
図１は本発明の実施例のシステム構成を示す図である。
同図において、１は投票端末装置であり、複数の投票端末装置１は投票集計処理を行なう投票センタシステム２とＴＩＦ（トータリゼータ専用インタフェース）で接続され、かつ、予想データ格納サーバ３とＬＡＮ４で接続されている。
上記予想データ格納サーバ３はインターネット接続環境にあり、例えばＡ社、Ｂ社、Ｃ社、…等の各社ホームページ５から予想情報が提供される。なお、以下では競馬を例に取って説明するが、その他、競輪・競艇・オートレース等の公営競技や、その他の各種投票を行うシステムに適用することが可能である。また、競馬新聞社等が予想情報の提供元である場合について説明するが、予想情報の提供元は上記に限られず、予想情報の入手方法も必ずしもインターネットである必要はない。
図１において、投票端末装置１、投票センタシステム２から構成される部分は従来のシステムであり、本発明では、予想データ格納サーバ３と、インターネットを介して接続されたＡ社、Ｂ社、Ｃ社、…等の各社ホームページが従来のシステムに追加されている（同図では破線で囲まれた部分）。
【０００７】
図２は本発明の実施例の投票端末装置の構成例を示す図である。なお、投票端末装置には自動発売機、有人発売機など様々あるが、ここでは自動発払機を用いて説明する。
図２に示すように、本実施例の自動発払機は、投票券を読み取る投票券読取部１１と、投票カードを読み取り、また後述するように投票カードの裏面に投票券を印刷するカード読取／印刷部１２と、客用表示部／タッチパネル１３と、紙幣を受け入れたり紙幣を払い戻す紙幣還流部１４と、硬貨を受け入れたり硬貨を払い戻す硬貨還流部１５と、保守用表示部／タッチパネル１６を備える。
さらに、顧客が購入した投票券を発行する投票券発行部１７と、後述する予想情報を印刷したレシートを発行する予想レシート出力部１８と、投票券の発行履歴を出力するジャーナル出力部１９とを備える。なお、上記予想レシート出力部１８は、一般的なレシートプリンタである。
【０００８】
メイン制御部２０は、上記各部を制御するとともに、ＴＩＦ電文処理部２１，ＴＩＦ電文通信部２２を介して投票センタシステム２と投票データの送受を行う。また、予想データ処理部２３はＬＡＮ通信部２４を介して、予想データ格納サーバ３と通信し、予想データを取得して、予想情報を予想レシート出力部１８から出力させる。また、後述するように、予想情報を投票カードの裏面に印刷する場合には、メイン制御部２０の制御のもとに、予想情報をカード読取／印刷部１２に送る。
カード読取／印刷部１２は、従来の自動発払機のように投票カードを読み取る機能に加え、投票カードを一時的に保留する一時保留部と印刷部を備え、カード読取／印刷部１２に挿入された投票カードを上記一時保留部に保留しておき、投票カードの裏面に予想情報を印刷する場合には、上記一時保留部に保留された投票カードを印刷部に送り、投票カード裏面に後述するように予想情報を印刷する。投票カードの裏面に投票券購入データを印刷する投票カード読み取り装置は例えば特開平４−６５７６１公報に開示されており、これと同様な方法により、投票カードの裏面に予想情報を印刷することができる。
なお、上記予想データ処理部２３、ＬＡＮ通信部２４、予想レシート出力部１８を設けた点、およびカード読取／印刷部１２がカードの裏面に予想情報を印刷する機能を備えている点を除き、その他の構成は従来の自動発払機と同様である。
【０００９】
図３は本実施例において、投票券の購入処理を示すフローチャートであり、ファンが投票券を購入し、無料予想情報を入手するまでの処理を示している。
ファンが自動発払機により、あるレースを購入するには、まず現金を挿入するかもしくは的中券を挿入する（図３のステップＳ１）。次に予めマークされた投票カードを、自動発払機のカード読取／印刷部１２に挿入する（ステップＳ２）。
自動発払機は、ＴＩＦ電文処理部２１、ＴＩＦ電文通信部２２を介して、そのレースの番号が購入出来るかどうか投票センタシステム２と通信し確認した後、購入可能なら、投票データを編集し、投票券発行部１７から投票券を発行する（ステップＳ３，Ｓ４）。また、発行した投票券の控えを印刷し、ジャーナル出力部１９から出力する。
同時に次のレースの無料予想を提供するため、客用表示部／タッチパネル１３の表示画面は図４（ａ）の予想選択画面になる（ステップＳ５）。
ファンは客用表示部／タッチパネル１３のタッチパネルより「Ａ社予想」、「Ｂ社予想」、「Ｃ社予想」、「予想不要」の何れかを選択する（ステップＳ６）。
【００１０】
ここで予想不要を選択すると、ステップＳ６からステップＳ１６に行き、紙幣還流部１４、硬化還流部１５から釣り銭等を放出するとともに、投票券発行部１７から投票券を放出する。
また、例えばファンが予想提供元としてＡ社予想を選択すると（ステップＳ７）、予め各社の予想ホームページの予想データをインターネット経由で、予想データ格納サーバ３へダウンロードしておいた中から、ＬＡＮ通信部２４を介してＡ社予想データを受信する（ステップＳ８）。そして、予想データ処理部２３で予想データを処理し、客用表示部／タッチパネル１３の表示部に図４（ｂ）に示す予想表示画面を表示する（ステップＳ９）。
ファンはその予想買目を印刷出力して欲しければ、客用表示部／タッチパネル１３のタッチパネルより「予想印刷」を選択する。また、予想買目を印刷する必要がなければ「清算」を選択する。清算を選択した場合には、ステップＳ１０からステップＳ１６に行き、前記したように清算処理を行う。
【００１１】
「予想印刷」を選択した場合、購入済の投票カード裏面が白紙の場合には、ステップＳ１１からステップＳ１２に行き、自動発払機のカード読取／印刷部１２は、一時保留部にある投票カードの裏面に、図５（ａ）に示すように、ファンが選択した提供元のＡ社予想買目がマーク形式で印刷し、カード読取／印刷部１２から、予想買目が印刷された投票カードを出力する（ステップＳ１３）。
また、投票カード裏面が白紙でなく、既にデータが印刷されていたり、汚れている場合には、図６に示すように予想レシートにＡ社予想買目を印刷し（ステップＳ１４）、予想レシート出力部１８から印刷した予想レシートを出力する（ステップＳ１５）。
以上の処理が終わると、前記したように、清算処理が行われる。
なお、上記では投票カード裏面が白紙でない場合や汚れている場合に、予想レシートを発行するようにしているが、予想レシートを発行するか、投票カードの裏面に予想情報を印刷するかを利用者が選択できるようにしてもよい。
【００１２】
予想レシートで予想買目を提供して貰ったファンは、その予想を参考に次のレースの予想を行い、新しい投票カードに買目をマークし同じ自動発払機で投票券を購入する。
また、購入済の投票カード裏面に予想買目を提供して貰ったファンは、その予想を参考に次のレースの投票券を購入する。
仮にその予想で１，３，５ベット目のみ購入する時には、図５（ｂ）のように購入ベットのみ金額をマーク（全ベット購入したい時には全ベットに金額をマークする）し、同じ自動発払機のカード読取／印刷部１２に予想面を上にして挿入する事により、予想買目をそのまま購入することが可能である。
【００１３】
図７は、投票カードの裏面に印刷された予想情報を基に投票券を購入する場合のフローチャートである。
図３と同様、まず現金を挿入するかもしくは的中券を挿入する（図７のステップＳ１）。次に、投票カードの裏面に印刷された予想情報を基に投票券を購入する場合には、前記図５（ｂ）に示した金額が予めマークされた投票カード裏面を上にして自動発払機のカード読取／印刷部１２に挿入する（ステップＳ２）。
以下、前記図３のフローチャートと同様、そのレースの番号が購入出来るかどうか投票センタシステムと通信し確認した後、購入可能なら、投票データを編集し投票券を発行する（ステップＳ３〜Ｓ４）。
同時に予想選択画面を表示し、ファンが予想要を選択し、提供元として例えばＡ社を選択すると、予想データ格納サーバ３からへダウンロードしておいた中から、Ａ社予想データを受信し、客用表示部／タッチパネル部１３に上記提供元の予想情報を表示する（ステップＳ５〜Ｓ９）。
ファンがタッチパネルより「予想印刷」を選択すると、この場合には、投票カードの裏面は白紙でないので、予想レシートに予想情報が印刷され出力される（ステップＳ１０〜ステップＳ１２）。最後に清算処理として、購入した投票券やつり銭等が出力される（ステップＳ１３）。
なお、上記以外にもファンサービスで予想買目を提供する手段としては、ＩＣカードに格納したり、携帯電話や携帯端末に予想を受信させたりするなど、その他の方法で予想情報を提供するようにしてもよい。
【００１４】
【発明の効果】
本発明においては、以下の効果を得ることができる。
（１）投票券を購入したファンに対して、各競馬新聞社等から提供されるこれから行われるレースの予想買目を無料で提供する事によりファンサービス向上を図ることができる。
（２）予想の提供は、例えば、客用画面に表示させたり、希望者には購入済の投票カード裏面に出力したり、予想レシートとして出力したりすることができ、特に、投票カード裏面に予想買目と金額欄を印刷すれば、金額欄に金額をマークするだけでその予想買目を購入することができ、煩わしいマークカード記入の手間も省けとても便利になる。
【図面の簡単な説明】
【図１】本発明の実施例のシステム構成を示す図である。
【図２】本発明の実施例の投票端末装置の構成例を示す図である。
【図３】投票券の購入処理を示すフローチャートである。
【図４】客用表示部に表示される予想選択画面、予想表示画面の例を示す図である。
【図５】予想買目が印刷された投票カード（裏面）および金額がマークされた投票カード（裏面）の例を示す図である。
【図６】Ａ社予想買目を印刷した予想レシートの例を示す図である。
【図７】投票カードの裏面に印刷された予想情報を基に投票券を購入する場合の処理を示すフローチャートである。
【符号の説明】
１    投票端末装置
２    投票センタシステム
３    予想データ格納サーバ
４    ＬＡＮ
５    各社ホームページ
１１  投票券読取部
１２  カード読取／印刷部
１３  客用表示部／タッチパネル
１４  紙幣還流部
１５  硬貨還流部
１６  保守用表示部／タッチパネル
１７  投票券発行部
１８  予想レシート出力部
１９  ジャーナル出力部
２０  メイン制御部
２１  ＴＩＦ電文処理部
２２  ＴＩＦ電文通信部
２３  予想データ処理部
２４  ＬＡＮ通信部
【図１】
2005025442.tif 000003
【図２】
2005025442.tif 000004
【図３】
2005025442.tif 000005
【図４】
2005025442.tif 000006
【図５】
2005025442.tif 000007
【図６】
2005025442.tif 000008
【図７】
2005025442.tif 000009